(57)【要約】【課題】より正確に機器の動作状態を検出し、簡易な構成によってその動作状態を遠隔報知することができる機器の動作状態検出装置を実現する。【解決手段】動作状態検出装置１００は、ドアフォン５０に取り付けられたセンサ部１０のマイク部１１によって検出した音声がドアフォン５０によって出力された音声であるか否か判断し、また、センサ部１０の受光部１２によって検出した発光がドアフォン５０によって出力された発光であるか否か判断する。そして、その音声や発光がドアフォン５０によって出力された音声や発光であると判断した場合に、動作状態検出装置１００は、ドアフォン５０から離れた位置に設置されている外部報知装置３０が所定の報知を行うように動作させる遠隔操作を実行する構成にした。【選択図】図１
2007318663.tif 000002
【特許請求の範囲】
【請求項１】
所定の出力形態で機器自体の動作状態を出力してユーザに通知する機器における音声出力部から出力される音声を検出するために、前記機器に取り付けられる音声検出手段と、
前記機器における光出力部から出力される光を検出するために、前記光出力部を覆うように取り付けられる発光検出手段と、
前記発光検出手段に備えられ、前記発光検出手段により前記光出力部の発光を検出した際に発光する発光部と、
前記音声検出手段によって検出された音声の周波数及び／又は周期に基づき、その音声が前記機器が出力した音声であるか否かを判断する音声判断手段と、
前記音声判断手段が、前記音声検出手段により検出された音声が前記機器が出力した音声であると判断した場合と、前記発光検出手段が、前記光出力部が出力した光を検出した場合に、前記機器から離れた位置に設置されている外部報知装置が所定の報知を行うように動作させる遠隔操作を実行する遠隔報知実行手段と、
を備えることを特徴とする機器の動作状態検出装置。
【請求項２】
所定の出力形態で機器自体の動作状態を出力してユーザに通知する機器における音声出力部から出力される音声を検出するために、前記機器に取り付けられる音声検出手段と、
前記音声検出手段によって検出された音声が、前記機器が出力した音声であるか判断する音声判断手段と、
前記音声判断手段が、前記音声検出手段により検出された音声が、前記機器が出力した音声であると判断した場合に、前記機器から離れた位置に設置されている外部報知装置が所定の報知を行うように動作させる遠隔操作を実行する遠隔報知実行手段と、
を備えることを特徴とする機器の動作状態検出装置。
【請求項３】
前記音声判断手段は、前記音声検出手段により検出された音声の周波数及び／又は周期に基づき、その音声が前記機器が出力した音声であるか否かを判断することを特徴とする請求項２に記載の機器の動作状態検出装置。
【請求項４】
前記機器における光出力部から出力される光を検出するために、前記光出力部を覆うように取り付けられる発光検出手段を備えるとともに、前記遠隔報知実行手段は、前記発光検出手段が、前記機器が出力した光を検出した場合に、前記機器から離れた位置に設置されている外部報知装置が所定の報知を行うように動作させる遠隔操作を実行することを特徴とする請求項２又は３に記載の機器の動作状態検出装置。
【請求項５】
前記発光検出手段は、当該発光検出手段が前記機器が出力した光を検出した場合に発光する発光部を備えることを特徴とする請求項４に記載の機器の動作状態検出装置。
【発明の詳細な説明】
【技術分野】
【０００１】
本発明は、機器の動作状態検出装置に係り、特に音や光の出力を伴って動作する機器の動作状態を検出する機器の動作状態検出装置に関する。
【背景技術】
【０００２】
従来、機器の動作状態を示すＬＥＤ表示器の発光を受光して、その光の検出結果を通信ケーブルを介して所定の診断装置に通知するとともに、光の検出結果に基づき診断装置が判断した機器の状態の診断結果に応じて、その機器をリセット操作する機器メンテナンスシステムが知られている（例えば、特許文献１参照。）。
【０００３】
また、機器が何らかの情報を通知する際に、所定の変調処理を施したＬＥＤ発光や吹鳴信号を出力し、そのＬＥＤ発光や吹鳴信号を所定の端末装置で検出するとともに復調することによって、端末装置に文字情報を表示して所定の情報をユーザに認識させる情報認識装置が知られている（例えば、特許文献２参照。）。
【特許文献１】特開２００２−０１６９４７号公報
【特許文献２】特開２００３−１０９１５１号公報
【発明の開示】
【発明が解決しようとする課題】
【０００４】
しかしながら、上記特許文献１の場合、複数のＬＥＤの発光を複数の受光素子でそれぞれ検知するため、隣り合ったＬＥＤの発光が幾つかの受光素子に作用してしまうなど、光の検出結果に誤差が生じてしまうことがあり、診断結果に影響が及ぶ虞があった。
【０００５】
また、上記特許文献２の場合、機器本体と端末装置とが、所定の変調／復調処理に関するプログラム等を共有することによって所定の情報の通知を行う技術であるため、ＬＥＤ発光や吹鳴信号（ＢＥＥＰ音）等によって警報などの通知を行う独立した機器に対して、その警報通知を離れた場所においても可能にするための端末装置を後付けすることに応用することには不向きな技術であった。
つまり、独立した機器に警報通知用の端末装置を後付けするためには、その機器に改造を施すなど大掛かりなものになってしまう問題があった。
【０００６】
本発明の目的は、より正確に機器の動作状態を検出し、簡易な構成によってその動作状態を遠隔報知することができる機器の動作状態検出装置を提供することである。
【課題を解決するための手段】
【０００７】
以上の課題を解決するため、請求項１に記載の発明は、機器の動作状態検出装置であって、所定の出力形態で機器自体の動作状態を出力してユーザに通知する機器における音声出力部から出力される音声を検出するために、前記機器に取り付けられる音声検出手段と、前記機器における光出力部から出力される光を検出するために、前記光出力部を覆うように取り付けられる発光検出手段と、前記発光検出手段に備えられ、前記発光検出手段により前記光出力部の発光を検出した際に発光する発光部と、前記音声検出手段によって検出された音声の周波数及び／又は周期に基づき、その音声が前記機器が出力した音声であるか否かを判断する音声判断手段と、前記音声判断手段が、前記音声検出手段により検出された音声が前記機器が出力した音声であると判断した場合と、前記発光検出手段が、前記光出力部が出力した光を検出した場合に、前記機器から離れた位置に設置されている外部報知装置が所定の報知を行うように動作させる遠隔操作を実行する遠隔報知実行手段と、を備えることを特徴とする。
【０００８】
請求項２に記載の発明は、機器の動作状態検出装置であって、所定の出力形態で機器自体の動作状態を出力してユーザに通知する機器における音声出力部から出力される音声を検出するために、前記機器に取り付けられる音声検出手段と、前記音声検出手段によって検出された音声が、前記機器が出力した音声であるか判断する音声判断手段と、前記音声判断手段が、前記音声検出手段により検出された音声が、前記機器が出力した音声であると判断した場合に、前記機器から離れた位置に設置されている外部報知装置が所定の報知を行うように動作させる遠隔操作を実行する遠隔報知実行手段と、を備えることを特徴とする。
【０００９】
請求項３に記載の発明は、請求項２に記載の機器の動作状態検出装置において、前記音声判断手段は、前記音声検出手段により検出された音声の周波数及び／又は周期に基づき、その音声が前記機器が出力した音声であるか否かを判断することを特徴とする。
【００１０】
請求項４に記載の発明は、請求項２又は３に記載の機器の動作状態検出装置において、前記機器における光出力部から出力される光を検出するために、前記光出力部を覆うように取り付けられる発光検出手段を備えるとともに、前記遠隔報知実行手段は、前記発光検出手段が、前記機器が出力した光を検出した場合に、前記機器から離れた位置に設置されている外部報知装置が所定の報知を行うように動作させる遠隔操作を実行することを特徴とする。
【００１１】
請求項５に記載の発明は、請求項４に記載の機器の動作状態検出装置において、前記発光検出手段は、当該発光検出手段が前記機器が出力した光を検出した場合に発光する発光部を備えることを特徴とする。
【発明の効果】
【００１２】
請求項１に記載の発明によれば、機器の動作状態検出装置は、所定の機器に取り付けられた音声検出手段によって音声を検出するとともに、その音声が機器によって出力された音声であるか否か判断する。そして、その音声が機器によって出力された音声であると判断した場合に、動作状態検出装置は、機器から離れた位置に設置されている外部報知装置が所定の報知を行うように動作させる遠隔操作を実行することができる。
つまり、機器の動作状態検出装置は、所定の機器が所定の出力形態である音声の出力によって、ユーザに対して何らかの事柄の通知を行う動作状態を検出した際に、機器から離れた位置に設置されている外部報知装置を遠隔操作するようにして所定の報知を行うことができるので、機器から離れた位置であっても、ユーザは外部報知装置によって、その事柄が通知されることとなり、その事柄を認識することができる。
特に、機器の動作状態検出装置は、その機器に対して特殊な改造を行うことなく、音声の出力が可能な音声出力部を有する機器であれば、その機器に音声検出手段を取り付けるという簡易な構成によって、その機器の動作状態に応じた所定の報知を外部報知装置により遠隔報知することができる。また、動作状態検出装置は、機器に直接取り付けられた音声検出手段によって、より正確に機器の動作状態を検出することが可能になっている。
【００１３】
また、機器の動作状態検出装置の音声判断手段は、音声検出手段により検出された音声の周波数及び／又は周期に基づき、その音声が機器が出力した音声であるか否かを判断することができる。
つまり、機器の動作状態検出装置は、音声検出手段により検出された音声の周波数や周期が、予め記憶し設定されているＢＥＥＰ音など機器が出力する音声の周波数や発信周期と一致するか否かを判断することによって、その音声が機器が出力した音声であるか否かを判断することができるので、より正確な判断を行うことができる。
【００１４】
また、機器の動作状態検出装置は、所定の機器の光出力部から出力される光を検出するために、その光出力部を覆うように取り付けられる発光検出手段を備えているので、太陽光や室内灯などの発光の影響を受けないように、光出力部から出力される光を正確に検出することができる。そして、発光検出手段が光出力部から出力された光を検出した場合に、動作状態検出装置は、機器から離れた位置に設置されている外部報知装置が所定の報知を行うように動作させる遠隔操作を実行することができる。
つまり、機器の動作状態検出装置は、所定の機器が所定の出力形態である光の出力によって、ユーザに対して何らかの事柄の通知を行う動作状態を検出した際に、機器から離れた位置に設置されている外部報知装置を遠隔操作するようにして所定の報知を行うことができるので、機器から離れた位置であっても、ユーザは外部報知装置によって、その事柄が通知されることとなり、その事柄を認識することができる。特に、機器の動作状態検出装置は、その機器に対して特殊な改造を行うことなく、光の出力が可能な光出力部を有する機器であれば、その機器に発光検出手段を取り付けるという簡易な構成によって、その機器の動作状態に応じた所定の報知を外部報知装置により遠隔報知することができる。
【００１５】
また、機器の動作状態検出装置の発光検出手段は、発光検出手段自身が機器から出力された光を検出した場合に発光する発光部を備えているで、発光検出手段が所定の機器の光出力部を覆ってしまい、その光出力部の発光が視認できないようになっても、光出力部の発光に伴い発光する発光部によって、光出力部の発光に応じた発光を視認することが可能になる。
【００１６】
請求項２に記載の発明によれば、機器の動作状態検出装置は、所定の機器に取り付けられた音声検出手段によって音声を検出するとともに、その音声が機器によって出力された音声であるか否か判断する。そして、その音声が機器によって出力された音声であると判断した場合に、動作状態検出装置は、機器から離れた位置に設置されている外部報知装置が所定の報知を行うように動作させる遠隔操作を実行することができる。
つまり、機器の動作状態検出装置は、所定の機器が所定の出力形態である音声の出力によって、ユーザに対して何らかの事柄の通知を行う動作状態を検出した際に、機器から離れた位置に設置されている外部報知装置を遠隔操作するようにして所定の報知を行うことができるので、機器から離れた位置であっても、ユーザは外部報知装置によって、その事柄が通知されることとなり、その事柄を認識することができる。
特に、機器の動作状態検出装置は、その機器に対して特殊な改造を行うことなく、音声の出力が可能な音声出力部を有する機器であれば、その機器に音声検出手段を取り付けるという簡易な構成によって、その機器の動作状態に応じた所定の報知を外部報知装置により遠隔報知することができる。また、動作状態検出装置は、機器に直接取り付けられた音声検出手段によって、より正確に機器の動作状態を検出することが可能になっている。
【００１７】
請求項３に記載の発明によれば、請求項２に記載の発明と同様の効果が得られることは無論のこと、機器の動作状態検出装置の音声判断手段は、音声検出手段により検出された音声の周波数及び／又は周期に基づき、その音声が機器が出力した音声であるか否かを判断することができる。
つまり、機器の動作状態検出装置は、音声検出手段により検出された音声の周波数や周期が、予め記憶し設定されているＢＥＥＰ音など機器が出力する音声の周波数や発信周期と一致するか否かを判断することによって、その音声が機器が出力した音声であるか否かを判断することができるので、より正確な判断を行うことができる。
【００１８】
請求項４に記載の発明によれば、請求項２又は３に記載の発明と同様の効果が得られることは無論のこと、機器の動作状態検出装置は、所定の機器の光出力部から出力される光を検出するために、その光出力部を覆うように取り付けられる発光検出手段を備えているので、太陽光や室内灯などの発光の影響を受けないように、光出力部から出力される光を正確に検出することができる。
そして、発光検出手段が光出力部から出力された光を検出した場合に、動作状態検出装置は、機器から離れた位置に設置されている外部報知装置が所定の報知を行うように動作させる遠隔操作を実行することができる。
【００１９】
つまり、機器の動作状態検出装置は、所定の機器が所定の出力形態である光の出力によって、ユーザに対して何らかの事柄の通知を行う動作状態を検出した際に、機器から離れた位置に設置されている外部報知装置を遠隔操作するようにして所定の報知を行うことができるので、機器から離れた位置であっても、ユーザは外部報知装置によって、その事柄が通知されることとなり、その事柄を認識することができる。特に、機器の動作状態検出装置は、その機器に対して特殊な改造を行うことなく、光の出力が可能な光出力部を有する機器であれば、その機器に発光検出手段を取り付けるという簡易な構成によって、その機器の動作状態に応じた所定の報知を外部報知装置により遠隔報知することができる。
【００２０】
請求項５に記載の発明によれば、請求項４に記載の発明と同様の効果が得られることは無論のこと、機器の動作状態検出装置の発光検出手段は、発光検出手段自身が機器から出力された光を検出した場合に発光する発光部を備えているで、発光検出手段が所定の機器の光出力部を覆ってしまい、その光出力部の発光が視認できないようになっても、光出力部の発光に伴い発光する発光部によって、光出力部の発光に応じた発光を視認することが可能になる。
【発明を実施するための最良の形態】
【００２１】
以下、図面を参照して本発明に係る機器の動作状態検出装置の実施形態について説明する。
なお、本実施の形態においては、機器であるドアフォンの動作状態を検出する動作状態検出装置を例に挙げて説明する。
【００２２】
図１、図２に示すように、ドアフォンの動作状態検出装置１００（以下、動作状態検出装置１００）は、後述するドアフォン５０に取り付けられてドアフォン５０の動作状態を検出するセンサ部１０と、センサ部１０とケーブルＣを介して接続される装置本体２０とを備えている。
【００２３】
センサ部１０は、図１、図２に示すように、ドアフォン５０の音声出力部５１（図４参照）から出力される音声を検出する音声検出手段としてのマイク部１１と、ドアフォン５０の光出力部５２（図４参照）から出力される光を検出する発光検出手段としての受光部１２と、受光部１２が光出力部５２の発光を検出した際に発光する発光部１３等を備えている。
また、図３（ａ）、（ｂ）に示すように、センサ部１０において、受光部１２は基板１４の裏面側の略中央に配設され、発光部１３は基板１４の表面側の略中央であって受光部１２に対応する位置に配設されており、受光部１２と発光部１３とが表裏一体となるように配されている。また、マイク部１１は、受光部１２側の音声を検出可能に基板１４に形成された貫通孔１４ａに対応するように基板１４の表面側に配設されている。
なお、基板１４の表面側には、マイク部１１や発光部１３を覆う光透過性を有するモールド１５が備えられている。また、基板１４の裏面側には略ドーナツ状のクッション材１６が受光部１２の周囲を囲うように備えられている。
このようにセンサ部１０は、マイク部１１や受光部１２等からなる簡易な構成をとっている。
【００２４】
装置本体２０は、図１、図２に示すように、マイク部１１が検出した音声データが入力される音声判断手段としての判断部２１を構成するフィルタ２１ａとレベル判定回路２１ｂと時定数回路２１ｃと、その音声データに基づく判断部２１の判断結果に応じて、外部報知装置３０が所定の報知を行うように動作させる遠隔操作を実行する遠隔報知実行手段としての第１接点出力部２２と、受光部１２が検出した発光データが入力される波形整形回路２３と、波形整形回路２３に発光データが入力された際に、外部報知装置３０が所定の報知を行うように動作させる遠隔操作を実行する遠隔報知実行手段としての第２接点出力部２４と、動作状態検出装置１００に電力を供給する電源部２５等を備えている。
なお、第１接点出力部２２と第２接点出力部２４は、装置本体２０の出力端子２６を介して外部報知装置３０と接続している。
【００２５】
ドアフォン５０は、図４（ａ）、（ｂ）に示すように、音声出力部５１と、光出力部５２と、モニタ５３と、通話ボタン５４等を備えている。
そして、戸外に設置された図示しない室外器の呼び出しボタンが来客者によって押下されると、音声出力部５１であるスピーカから所定の呼び出し音であるＢＥＥＰ音が発せられるともに、光出力部５２であるＬＥＤが点滅するなど発光して、室内のユーザに来客の存在を通知する。つまり、ドアフォン５０は、音声や光を出力するドアフォン５０の動作状態をユーザに通知するようにして、来客の存在をユーザに通知する機器である。
また、モニタ５３には、図示しない室外器のカメラによって撮像された来客者の映像が表示される。そして、通話ボタン５４をユーザが押下すると、音声出力部５１を介してユーザと来客者とが通話可能になる。
【００２６】
マイク部１１は、検出した音声データを装置本体２０の判断部２１に送出する。
受光部１２は、例えば、フォトダイオードなどの受光素子からなり、検出した光に関する発光データを装置本体２０の波形整形回路２３に送出する。
発光部１３は、例えば、ＬＥＤなどの発光素子からなり、受光部１２がドアフォン５０の光出力部５２の発光を検出したことに伴う波形整形回路２３の制御に従って発光する。
【００２７】
判断部２１は、フィルタ２１ａと、レベル判定回路２１ｂと、時定数回路２１ｃとを有している。
そして、判断部２１は、マイク部１１から入力された音声データが、ドアフォン５０が出力した音声に関する音声データであるか否かを判断する。例えば、判断部２１は、マイク部１１から入力された音声データの周波数が、ドアフォン５０の音声出力部５１が発するＢＥＥＰ音の周波数と一致するか否かを判断したり、ＢＥＥＰ音の発信周期と一致する否かを判断したりすることによって、その音声データが、ドアフォン５０が出力した音声に関する音声データであるか否かを判断する。また、判断部２１は、マイク部１１から入力された音声データに基づく音圧が、所定値（例えば、８０ｄＢ）であるか、所定の範囲であるかなどを判断したりすることによって、その音声データが、ドアフォン５０が出力した音声に関する音声データであるか否かを判断する。なお、音声出力部５１が発するＢＥＥＰ音の周波数や発信周期などに関するデータは、予め装置本体２０のメモリ（図示省略）に記憶し設定されている。
このように、判断部２１は、マイク部１１から入力された音声データに周波数や時間などのフィルタをかけることによって、その音声データが、ドアフォン５０が出力した音声データであるか否かを判断するようになっている。
そして、判断部２１は、マイク部１１から入力された音声データが、ドアフォン５０が出力した音声データであると判断すると、第１接点出力部２２に遠隔報知実行信号を出力する。
【００２８】
第１接点出力部２２は、判断部２１から遠隔報知実行信号が入力されると、所定の接点を閉じることによって、装置本体２０の出力端子２６に接続されて、ドアフォン５０から離れた位置に設置されている外部報知装置３０が所定の報知を行うように動作させる遠隔操作を実行する。
【００２９】
波形整形回路２３は、受光部１２から入力された発光データが、ドアフォン５０の光出力部５２が発光した光に関する発光データであるか否か判断する。例えば、波形整形回路２３は、受光部１２から入力された発光データに基づく発光輝度や発光点滅周期が、光出力部５２の発光と位置するか否かを判断することによって、その発光データがドアフォン５０の光出力部５２の発光によるものか否かを判断する。
そして、波形整形回路２３は、受光部１２から入力された発光データが、ドアフォン５０が出力した光に関する発光データであると判断すると、第２接点出力部２４に遠隔報知実行信号を出力するとともに、発光部１３を発光させる制御を実行する。
【００３０】
第２接点出力部２４は、波形整形回路２３から遠隔報知実行信号が入力されると、所定の接点を閉じることによって、装置本体２０の出力端子２６に接続されて、ドアフォン５０から離れた位置に設置されている外部報知装置３０が所定の報知を行うように動作させる遠隔操作を実行する。
【００３１】
電源部２５は、例えば、ＡＣ電源や電池使用電源などであって、センサ部１０や装置本体２０の各部に電力を給電するようになっている。
【００３２】
出力端子２６は、各種外部報知装置３０を動作状態検出装置１００（装置本体２０）に接続するための端子であって、第１接点出力部２２や第２接点出力部２４からの遠隔報知実行信号を外部報知装置３０に出力するための端子である。
【００３３】
次に、動作状態検出装置１００の使用例について説明する。
動作状態検出装置１００によって、ドアフォン５０の動作状態を検出するため、図５に示すように、センサ部１０をドアフォン５０の光出力部５２に取り付ける。
この際、センサ部１０のクッション材１６が光出力部５２を覆い、受光部１２が光出力部５２を覆うようにセンサ部１０をドアフォン５０に取り付けることによって、太陽光や室内灯などの影響を受けることなく、ドアフォン５０の光出力部５２の発光を受光部１２が検出することができる。
また、センサ部１０がドアフォン５０のケース体に直接取り付けられることによって、ドアフォン５０の音声出力部５１から発せられるＢＥＥＰ音や、ケース体を伝導する伝導音となったＢＥＥＰ音を、マイク部１１が好適に検出することができる。
【００３４】
そして、ドアフォン５０が動作して、音声出力部５１からＢＥＥＰ音が発せられるとともに光出力部５２が発光すると、センサ部１０のマイク部１１はＢＥＥＰ音を検出してその音声データを判断部２１に出力し、また、センサ部１０の受光部１２は発光を検出してその発光データを波形整形回路２３に出力する。
【００３５】
判断部２１が、その音声データが示す音声がドアフォン５０のＢＥＥＰ音であると判断すると、第１接点出力部２２を介して装置本体２０の出力端子２６に接続されている外部報知装置３０を動作させて、外部報知装置３０のスピーカ３１から所定の報知音（ＢＥＥＰ音）を出力させる。
また、波形整形回路２３が、その発光データが示す発光がドアフォン５０による発光であると判断すると、第２接点出力部２４を介して装置本体２０の出力端子２６に接続されている外部報知装置３０を動作させて、外部報知装置３０の報知ランプ３２を点滅点灯させるとともに、センサ部１０の発光部１３を点滅発光させる。
【００３６】
なお、判断部２１におけるフィルタ２１ａ、レベル判定回路２１ｂ、時定数回路２１ｃによるフィルタ処理によって、室内における話し声やドアの開閉音、ドアフォン５０以外の家電製品が発するアラーム音などに反応せず、動作状態検出装置１００がドアフォン５０のＢＥＥＰ音に対して選択的に反応するようになっている。
また、受光部１２が光出力部５２を覆うように取り付けられることによって、太陽光や室内灯などに反応せず、動作状態検出装置１００がドアフォン５０の発光に対して選択的に反応するようになっている。
【００３７】
そして、ドアフォン５０の音声出力部５１から発せられるＢＥＥＰ音や、センサ部１０の発光部１３の発光によって、そのドアフォン５０が設置されている部屋に在室中であるユーザは、来客者の存在を認識することができる。
また、ドアフォン５０の設置されていない部屋であっても、動作状態検出装置１００の装置本体２０の出力端子２６に接続されている外部報知装置３０が設置された部屋であれば、ドアフォン５０から離れていても、外部報知装置３０のスピーカ３１から発せられる報知音や、報知ランプ３２の点滅によって、ユーザは来客者の存在を認識することができる。
【００３８】
このように、動作状態検出装置１００は、ドアフォン５０の動作状態に関する出力形態であって、ドアフォン５０の音声出力部５１から発せられるＢＥＥＰ音や、ドアフォン５０の光出力部５２から発せられる発光を、センサ部１０によって検出することができる。
そして、センサ部１０によって検出されたドアフォン５０の動作状態に応じて、そのドアフォン５０から離れた位置に設置されている外部報知装置３０を動作させ、所定の報知である来客の存在の通知を行うことが可能になる。
具体的には、動作状態検出装置１００のセンサ部１０によって、ドアフォン５０の音声出力部５１から発せられるＢＥＥＰ音や、ドアフォン５０の光出力部５２から発せられる発光を検出することによって、装置本体２０に接続され、そのドアフォン５０から離れた位置に設置されている外部報知装置３０が、スピーカ３１から報知音を発したり、報知ランプ３２を発光させたりする報知を行うように動作させる遠隔操作を実行することができる。
【００３９】
そして、ユーザは、ドアフォン５０の動作により来客の存在を認識することができるとともに、外部報知装置３０の動作によっても来客の存在を認識することができる。
つまり、動作状態検出装置１００は、ドアフォン５０の動作を検出することによって、そのドアフォン５０が動作しユーザに通知しようとする事柄（来客の存在の通知）を、ドアフォン５０から離れた位置に設置されている外部報知装置３０によって、ユーザに通知することができる。
【００４０】
このように、動作状態検出装置１００は、センサ部１０をドアフォン５０に直接取り付けることによって、ドアフォン５０の動作状態をより正確に検出することができる。
そして、動作状態検出装置１００は、ドアフォン５０の音声出力部５１から発せられるＢＥＥＰ音や、ドアフォン５０の光出力部５２から発せられる発光を検出するための、マイク部１１や受光部１２等からなるセンサ部１０と、そのセンサ部１０の検出結果を処理する装置本体２０とからなる比較的簡易な構成によって、ドアフォン５０の動作状態を外部報知装置３０によって遠隔報知することができる。
【００４１】
特に、ドアフォン５０に対して特殊な改造やシステム変換を行うことなく、音声出力部５１や光出力部５２を有するドアフォン５０であれば、ドアフォン５０にセンサ部１０を取り付けて動作状態検出装置１００を設置することができ、ドアフォン５０の動作状態を外部報知装置３０によって遠隔報知することが可能になるので、動作状態検出装置１００は、汎用性のある動作状態検出装置であるといえる。
【００４２】
なお、本発明は上記実施形態に限られるものではない。
例えば、機器の動作状態検出装置を、所定の機器であるガス漏れ警報機や火災警報機、窓割れ警報機、ドア施錠監視機などに適用し、ガス漏れ警報機や火災警報機などのスピーカのＢＥＥＰ音やランプの発光をセンサ部１０が検出することに伴い、装置本体２０に接続され、それら機器から離れた位置に設置されている外部報知装置３０が所定の報知を行うように動作させる遠隔操作を実行するようにしてもよい。これにより、各種機器が設置された場所から離れた部屋や室外であっても、外部報知装置３０の設置によって、ユーザは何らかの異常発生を速やかに認識することが可能になる。
また、動作状態検出装置１００のセンサ部１０が、各種機器のＢＥＥＰ音や発光を検出したことに伴い、装置本体２０の出力端子２６に接続されている無線機によって、所定の警備会社などに異常発生の通報を行うようにしてもよい。
【００４３】
なお、以上の実施の形態においては、音声データに基づく判断部２１の判断によって、外部報知装置３０のスピーカ３１から報知音を出力させたり、発光データに基づく波形整形回路２３の判断によって、外部報知装置３０の報知ランプ３２を点滅点灯させたりするとしたが、本発明はこれに限定されるものではなく、例えば、音声データに基づく判断部２１の判断によって、外部報知装置３０のスピーカ３１と報知ランプ３２をともに動作起動させたり、発光データに基づく波形整形回路２３の判断によって、外部報知装置３０のスピーカ３１と報知ランプ３２をともに動作起動させたりするようにしてもよい。
また、音声データに基づく判断部２１の判断と、発光データに基づく波形整形回路２３の判断とが一致した際に、外部報知装置３０のスピーカ３１と報知ランプ３２を動作させるようにしてもよい。
【００４４】
また、以上の実施の形態においては、センサ部１０をドアフォン５０の光出力部５２に対して取り付けたが、本発明はこれに限定されるものではなく、例えば、光出力部５２の発光を検出する必要がない場合や、光出力部５２を有さないドアフォン５０である場合、センサ部１０をドアフォン５０の音声出力部５１上に取り付けるようにしてもよい。この場合、より正確にＢＥＥＰ音の検出が可能になる。
【００４５】
また、以上の実施の形態においては、装置本体２０に接続される外部報知装置３０が１つの場合を例に挙げて説明したが、本発明はこれに限定されるものではなく、例えば、任意の数の外部報知装置３０を接続し、複数の部屋に外部報知装置３０を設置するようにしてもよい。
【００４６】
また、以上の実施の形態においては、センサ部１０と装置本体２０とがケーブルＣを介して接続されている形態を例に挙げて説明したが、本発明はこれに限定されるものではなく、例えば、センサ部１０に電池を備えるとともに、マイク部１１や受光部１２が検出したデータを無線で装置本体２０に送信する構成をとるようにしてもよい。
【００４７】
また、その他、具体的な細部構造等についても適宜に変更可能であることは勿論である。
【図面の簡単な説明】
【００４８】
【図１】本発明に係る動作状態検出装置の要部構成を示すブロック図である。
【図２】本発明に係る動作状態検出装置を示す斜視図である。
【図３】動作状態検出装置のセンサ部を示す側面図（ａ）と、図３（ａ）の矢印ｂ方向からの底面図（ｂ）である。
【図４】ドアフォンを示す正面図であり、静止状態（ａ）と、動作状態（ｂ）を示している。
【図５】ドアフォンに接続された動作状態検出装置を示す斜視図である。
【符号の説明】
【００４９】
１０    センサ部
１１    マイク部（音声検出手段）
１２    受光部（発光検出手段）
１３    発光部
２０    装置本体
２１    判断部（音声判断手段）
２１ａ  フィルタ
２１ｂ  レベル判定回路
２１ｃ  時定数回路
２２    第１接点出力部（遠隔報知実行手段）
２３    波形整形回路
２４    第２接点出力部（遠隔報知実行手段）
２５    電源部
２６    出力端子
３０    外部報知装置
５０    ドアフォン（機器）
５１    音声出力部
５２    光出力部
１００  動作状態検出装置（機器の動作状態検出装置）
Ｃ      ケーブル
【図１】
2007318663.tif 000003
【図２】
2007318663.tif 000004
【図３】
2007318663.tif 000005
【図４】
2007318663.tif 000006
【図５】
2007318663.tif 000007